(57)【要約】【課題】  エジェクト時の衝撃音をなくしたスロットイン方式のディスクプレーヤ装置を提供することを目的とする。【解決手段】  ディスクを下ローラ部材７０と上ローラ８０との間に挟み込んで、下ローラ部材７０の回転運動により、ディスクの搬送及び搬出を行うディスクプレーヤ装置において、本体部２０と、本体部２０の上部に設けられる上部ケース２００ａと、本体部２０の下部に設けられる下部ケース２００ｂと、本体部２０内に設けられディスクを回転させるターンテーブル１４と、ターンテーブル１４に接離自在に設けられたクランパー２７と、本体部２０に回動自在に取り付けられると共に、クランパー２７を回転自在に支持するクランパーアーム２７と、クランパーアーム２７に取り付けられ、エジェクト時にディスクと当接する緩衝部材２３０と、からなり、緩衝部材２３０により、クランパーアーム２７とディスクとの衝突を防止する。【選択図】  図１
2006079659.tif 000002
【特許請求の範囲】
【請求項１】
ディスクを搬送ローラとディスクガイドローラとの間に挟み込んで、搬送ローラの回転運動により、ディスクの搬送及び搬出を行うディスクプレーヤ装置において、本体部と、この本体部の上部に設けられる上部ケースと、前記本体部の下部に設けられる下部ケースと、前記本体部内に設けられディスクを回転させるターンテーブルと、前記ターンテーブルに接離自在に設けられたクランパーと、前記本体部に回動自在に取り付けられると共に、前記クランパーを回転自在に支持するクランパーアームと、前記クランパーアームに取り付けられ、エジェクト時にディスクと当接する緩衝部材と、からなり、前記緩衝部材により、前記クランパーアームとディスクとの衝突を防止することを特徴とするディスクプレーヤ装置。
【請求項２】
前記緩衝部材の少なくとも先端部はバネ材で構成されていることを特徴とする請求項１に記載のディスクプレーヤ装置。
【発明の詳細な説明】
【技術分野】
【０００１】
本発明は、ＣＤ（Compact Disc）、ＤＶＤ（Digital Versatile Disc）等のディスクを再生及び／又は記録するディスクプレーヤ装置に関する。
【背景技術】
【０００２】
ＣＤ、ＤＶＤ等のディスクを再生及び／又は記録するディスクプレーヤ装置には、ディスクを搬送ローラとディスクガイドローラとの間に挟み込んで、搬送ローラの回転運動により、ディスクの搬送を行うスロットイン方式のディスク搬送機構を有するディスクプレーヤ装置がある。このスロットイン方式のディスクプレーヤ装置は、カーオーディオ等に良く用いられている。
【０００３】
スロットイン方式のディスクプレーヤ装置は、ディスクを排出及び搬入するための、ローディング機構と光ピックアップを駆動するための光ピックアップ駆動機構とを備えている。
【０００４】
このスロットイン方式のディスクプレーヤ装置においては、ディスクプレーヤ装置内の所定位置までディスクの引き込みがなされると、搬送ローラを駆動する駆動機構が解除され、搬送ローラとディスクガイドローラとの圧着が解除される。
【０００５】
この圧着解除の後に、演奏部のロックが解除され、それによってローディングの動作終了が検出される。このようにして、ローディング動作が終了し、ディスクの演奏が開始される。
【０００６】
上記したスロットイン方式のプレーヤ装置にあっては、ディスクの排出及び搬入時にはディスクのクランプを解除するために、ターンテーブルとクランパーとを離間させた後、ディスクを搬送ローラとディスクガイドローラとが圧着するように構成されている（例えば、特許文献１参照）。
【特許文献１】特開２００２−７４８００号公報
【発明の開示】
【発明が解決しようとする課題】
【０００７】
ところで、上記した従来のスロットイン方式のディスクプレーヤ装置においては、装置の薄型化が図られており、各部材が密接に配置される構造となってきている。
【０００８】
このため、エジェクト時に、テーブルとクランパーとを離間させた後、ディスクを搬送ローラとディスクガイドローラとで挟み込む際に、ディスクの一部がクランパーを支持するクランパーアームに当たり、その時の衝撃音がノイズとして耳につくなどの難点があった。
【０００９】
本発明は、上記した従来の問題点を解決するためになされたものにして、エジェクト時の衝撃音をなくしたスロットイン方式のディスクプレーヤ装置を提供することを目的とする。
【課題を解決するための手段】
【００１０】
本発明は、ディスクを搬送ローラとディスクガイドローラとの間に挟み込んで、搬送ローラの回転運動により、ディスクの搬送及び搬出を行うディスクプレーヤ装置において、本体部と、この本体部の上部に設けられる上部ケースと、前記本体部の下部に設けられる下部ケースと、前記本体部内に設けられディスクを回転させるターンテーブルと、前記ターンテーブルに接離自在に設けられたクランパーと、前記本体部に回動自在に取り付けられると共に、前記クランパーを回転自在に支持するクランパーアームと、前記クランパーアームに取り付けられ、エジェクト時にディスクと当接する緩衝部材と、からなり、前記緩衝部材により、前記クランパーアームとディスクとの衝突を防止することを特徴とする。
【００１１】
前記緩衝部材の少なくとも先端部はバネ材で構成するとよい。
【発明の効果】
【００１２】
上記したように、本発明は、衝撃を緩和する緩衝部材がクランパーアームに設けられており、この緩衝部材の先端部をエジェクト時にディスクと当接するように構成することで、エジェクト時に、ディスクとクランパーアームとの衝突が抑制され、衝撃音が発生する虞はなくなる。
【発明を実施するための最良の形態】
【００１３】
以下、本発明の一実施の形態について、図１から図１４に基づいて説明する。なお、以下の実施の形態において、特に断りが無い限り、先端側とは、ディスク差込口１２と反対の本体ケース２０の奥側を指し、後端側とは、ディスク差込口１２側を指すものとする。
【００１４】
図１は、本発明のディスクプレーヤ装置の構成を示す分解斜視図である。このディスクプレーヤ装置１０は、ＤＶＤ（Digital Versatile Disc）等のディスク１１（図７、図８参照）を再生するものである。しかしながら、このディスクプレーヤ装置１０において、再生するディスク１１（記録媒体）はＤＶＤには限られず、例えばＣＤ（Compact Disc）等の他の記録媒体でも良い。
【００１５】
この図１に示すように、ディスクプレーヤ装置は、内部に設けられる各種部品及び挿入されたディスク１１を覆うケース体としての本体ケース２０、この本体ケース２０の上部と下部にそれぞれ取り付けられる上部ケース２００ａ、下部ケース２００ｂを有している。この本体ケース２０の内部には、シャーシ体としてのフローティングシャーシ２１が設けられている。
【００１６】
フローティングシャーシ２１は、該本体ケース２０に対してディスク１１の挿入時に所定量だけ沈み込むように、該本体ケース２０に対してダンパーを介して弾性支持される。また、フローティングシャーシ２１には、図示はしないが、この装置の制御、信号処理当を行うためのマイクロコンピュータなどのＩＣを搭載したプリント基板が取り付けられると共に、光ピックアップ（３００）がディスクの径方向に移動自在に取り付けられ、ディスクに対してアクセスが行われる。
【００１７】
図２は、ディスクの挿入を待機している状態の本体ケース部分を示す斜視図であり、構成部品を見やすくするために、本体ケースの一部を省略している。図３は、ディスクの挿入を待機している状態の本体ケース部分を示す平面図である。図４は、第１のスライダ部分を示す側面図、図５は第２のスライダ部分を示す側面図、図６はフローティングシャーシ部分を示す平面図である。
【００１８】
これら図に示すように、フローティングシャーシ２１は、本体ケース２０のシャーシ本体２０ａの内周側に沿って設けられている。ディスク１１が挿入される方向と平行なフローティングシャーシ２１の側辺部と本体ケース２０のシャーシ本体２０ａとの間には、図３、図４、図５に示される、第１のスライダ５０及び第２のスライダ６０等が設けられている。
【００１９】
図２、図３に示すように、このフローティングシャーシ２１には、クランパーアーム２２が回動支点２３を介して回動自在に支持されている。かかる回動支点２３にクランパーアーム２２を係止させるため、クランパーアーム２２には、回動支点２３の軸に係合する穴部が設けられ、これら穴部と回動支点２３の軸とがそれぞれ係止される。
【００２０】
クランパーアーム２２には、バネ２２ｓが取り付けられ（図６参照）、クランパーアーム２２は回動支点２３を中心として、ターンテーブル１４方向に付勢されている。
【００２１】
また、クランパーアーム２２には、ディスク１１をターンテーブル１４に対して圧接させるための磁性体からなるクランパー２７が設けられている。このクランパー２７を磁石が取り付けられたターンテーブル１４に圧接し、バネによる付勢力とターンテーブル１４に設けた磁石の磁力により。クランパー２７とターンテーブル１１間に挿入されたディスク１１がターンテーブル１４上に圧接保持された状態となる。そして、この圧接状態でターンテーブル１４がターンテーブルモータ（図示せず）によって回転駆動されると、ディスク１１及びこのディスク１１を圧接しているクランパー２７が回転駆動され、ディスク１１の記録／再生が行える状態となる。
【００２２】
また、クランパーアーム２２には、舌片２４が設けられ、後述するように、ディスク１１の挿入、排出時等には第１のスライダ５０に設けられたカム５０７と舌片２４が当接し、クランパー２７をターンテーブル１４からバネ２２ｓの付勢力に抗して離間させるように構成されている。
【００２３】
更に、クランパーアーム２２は、ディスクが挿入されたときにディスクと当接する扇形の作動片２２０が揺動自在に取り付けられている。この作動片２２０の先端部には、ディスクが挿入された際に、後述する第１のスライダ５０のラックギア部材５０２の突起５０２ａと当接するピン２２１が設けられている。又、図示はしないが、作動片２２０のフローティングシャーシ２１ａと対向する面には突起が設けられ、ディスクがフローティングシャーシ２１ａの再生位置に至るまでクランパー２７をディスクから離間させるように構成されている。そして、ディスクが再生位置になるまで作動片２２０はディスクの一部に押され、作動片２２０はディスクから待避するように揺動する。そして、ディスクが所定の位置に達すると、クランパー２７の離間を解除するべく、フローティングシャーシ２１ａの所定の位置には上記した突起が挿入される穴部（図示しない）が設けられている。
【００２４】
エジェクト時には、クランパー２７をターンテーブル１４から離間させるために、第１のスライダ５０のカム５０７がクランパーアーム２２の舌片２４を押し上げる。ディスク１１排出するために、後述するように、下ローラ部材（搬送ローラ）７０が図中上方向へ上昇し、ディスク１１に当接し、続いて、上ローラ（ガイドローラ）８０が図中下方向へ下降し、ディスク１１に当接して、下ローラ部材７０と上ローラ８０とにより、ディスク１１が挟まれる。このように、ディスク１１に、まず、下ローラ部材７０が当接し、続いて上ローラ８０が当接する際に、ディスク１１の先端側がクランプアーム２２に当接し、その当接の際に衝撃音などが発生する虞がある。このため、この実施形態においては、衝撃を緩和するために、先端部が板バネで構成された緩衝部材２３０がクランパーアーム２２に形成されている。この緩衝部材２３０の先端部は、エジェクト時に、ディスク１１の先端部が図中上方向に揺動した時に、ディスク１１表面と当接し、クランプアーム２２へのディスク１１の当接を抑制する。この緩衝部材２３０により、エジェクト時のディスク１１の衝撃が緩和され、衝撃音が発生する虞はなくなる。
【００２５】
フローティングシャーシ２１には、第１のスライダ５０及び第２のスライダ６０が、このフローティングシャーシ２１に対してスライド移動自在にシャーシ本体２０ａに支持されている。
【００２６】
第１のスライダ５０は、図２、図３、図４に示すように、フローティングシャーシ２１におけるディスクの挿入、取り出し方向に平行にシャーシ本体２０ａの一方の側方側に取り付けられる。第１のスライダ５０は、スライダ本体５０１とこのスライダ本体５０１に摺動自在に取り付けられたラックギア部材５０２とを備える。
【００２７】
尚、図４において、（ａ）は、ディスクの挿入を待機している状態における第１のスライダ５０の状態を、（ｂ）は、ディスクの記録／再生の状態における第１のスライダ５０の状態を示している。
【００２８】
図４に示すように、スライダ本体５０１には、フローティングシャーシ２１ａを支持するための係合溝５０ｃ、５０ｄが設けられ、フローティングシャーシ２１ａに設けられた係合凸部２１ｃ、２１ｄ（図６参照）と係合溝５０ｃ、５０ｄがディスクの挿入、取り出し時に係合し、フローティングシャーシ２１ａの一端側はスライダ本体５０１に支持されるように構成されている。
【００２９】
また、ディスクの記録／再生時は、図４（ｂ）に示すように、スライダ本体５０１がディスク差込口１２側へ移動し、フローティングシャーシ２１ａに設けられた係合凸部２１ｃ、２１ｄと係合溝５０ｃ、５０ｄの係合は解除され、フローティングシャーシ２１は後述するダンパーにより、支持される。
【００３０】
そして、第１のスライダ５０のスライダ本体５０１のディスク差込口１２側には、後述する下ローラ部材（搬送ローラ）７０の一端部と係合するガイド溝５０４が設けられ、このガイド溝５０４は、図４に示すように、段差がある水平部５０４ａ、５０４ｂとこの両水平部５０４ａ、５０４ｂとを繋ぐ斜行部５０４ｃとで構成されている。同図（ａ）に示すように、下ローラ部材７０の一端部が水平部５０４ａに位置するときには、下ローラ部材７０はディスクと当接する位置にある。また、ディスクが挿入され、同図（ｂ）に示すように、第１のスライダ５０がシャーシ本体２０ａに対してディスク差込口１２側にスライドすると、下ローラ部材７０の一端は、斜行部５０４ｃを経て水平部５０４ｂの位置になる。このガイド溝５０４に沿った下ローラ部材７０の移動により、下ローラ部材７０は、図中下方向に移動し、ディスクから離間し待避する位置まで図中下方向に移動される。
【００３１】
第１のスライダ５０のスライダ本体５０１とシャーシ本体２０ａとの間には付勢バネ５０８が取り付けられ、この付勢バネ５０８により、第１のスライダ５０がディスク差込口１２とは反対側、即ち、図中矢印Ａ方向に付勢されている。また、スライダ本体５０１とラックギア部材５０２との間には付勢バネ５０６が取り付けられ、この付勢バネ５０６により、ラックギア部材５０２も図中矢印Ａ方向に付勢されている。
【００３２】
前述したように、ディスクの挿入により、作動片２２０が揺動し、ラックギア部材５０２の突起５０２ａと作動片が２２０のピン２２１が当接することにより、付勢バネ５０６に抗してラックギア５０３ａがシャーシ本体２０ａに取り付けられたギア５０３と噛み合う。このギア５０３は後述するように、ディスク挿入のための駆動力伝達手段と従動する手段により回転駆動され、このギア５０３とラックギア５０３ａにより、第１スライダ５０がディスク差込口１２側に移動する。ラックギア部材５０２はラックギア５０３ａとギア５０３が噛み合い、ギア５０３の駆動によりラックギア５０２ａが移動することにより、ラックギア部材５０２の一部がスライダ本体５０１とが当接してスライダ本体５０１を押してスライダ本体５０１が付勢バネ５０８に抗してディスク差込口１２側に移動させる。そして、スライダ本体５０１が記録／再生位置になると、図示しないエジェクトボタンと連動したエジョクトピンにより、記録／再生位置でスライダ本体５０１はロックされるように構成されている。また、エジェクトボタンが押されると、エジェクトピンのロックは解除され、第１のスライダ５０は、付勢バネ５０８の付勢力により、図４（ｂ）の状態から同（ａ）の状態に戻る。
【００３３】
一方、第２のスライダ６０は、図２、図３、図５に示すように、フローティングシャーシ２１におけるディスクの挿入、取り出し方向と平行にシャーシ本体２０ａの他方の側方側に取り付けられる。第２のスライダ６０には、フローティングシャーシ２１ａを支持するための係合溝６０ｃ、６０ｄが設けられ、フローティングシャーシ２１ａに設けられた係合凸部２１ｅ、２１ｆと係合溝６０ｅ、６０ｆがディスクの挿入、取り出し時に係合し、フローティングシャーシ２１ａの他端側は第２のスライダ６０に支持される。
【００３４】
また、ディスクの記録／再生時は、図５（ｂ）に示すように、第２のスライダ６０がディスク差込口１２側へ移動し、フローティングシャーシ２１ａに設けられた係合凸部２１ｅ、２１ｆと係合溝６０ｅ、６０ｆの係合は解除され、フローティングシャーシ２１は後述するダンパーにより、支持される。
【００３５】
このように、フローティングシャーシ２１ａは、一端側が第１のスライダ５０、他端側が第２のスライダ６０で支持される。
【００３６】
また、第２のスライダ６０のディスク差込口１２側には、下ローラ部材７０を支持する下ローラプレート７００の先端部に設けたピン７０１と係合するガイド溝６０４が設けられ、このガイド溝６０４は、下ローラプレート７００の揺動に応じて第２のスライダ６０を第１のスライダ５０と同様にスライドするように、そのガイド溝６０４が形成されている。
【００３７】
下ローラプレート７００はシャーシ本体２０ａに揺動自在に取り付けられ、フローティングシャーシ２１ａ側に下ローラ部材７０が回転自在に取り付けられる。図５に示すように、第２のスライダ６０側には、シャーシ本体２０ａに設けた穴に下ローラプレート７００のピン７０１が係合される。第１のスライダ５０側はシャーシ本体２０ａに取り付けた支持板（図示しない）に下ローラプレート７００を支持する部材のピンが係合されている。
【００３８】
また、第１のスライダ５０、第２のスライダ６０のディスク差込口１２側の先端部には、後述する上ローラ（ディスクガイドローラ）８０を上下動させるためのカム部５０５、６０５が設けられている。このカム部５０５、６０５の下方部に上ローラ８１の支持部材８１０のカムフォロワ部が位置する時、即ち、ディスク挿入時には、上ローラ８０はディスクに当接する。また、ディスク再生時には、第１のスライダ５０、第２のスライダ６０がディスク差込口１２側にスライドし、カム部５０５、６０５の上方部５０５ａに上ローラ８０の支持部材８１０のカムフォロワ部が位置し、上ローラ８０はディスクから離間する。上ローラ８０の支持部材８１０のカムフォロワ部と、カム部５０５、６０５の当接により、上ローラ８０は、図中上方向に移動され、ディスク１１から離間する。第１のスライダ５０、第２のスライダ６０のディスク差込口１２側の先端部付近に設けられたカム溝５０４と、カム部５０５、６０５は、ディスク１１の挿入時には、ディスク１１が所定位置に位置した後、第１のスライダ５０、第２のスライダ６０のディスク差込口１２側方向の移動に伴い、まず下ローラ部材７０が移動を開始し、ディスク１１から下ローラ部材７０が離れた後に、上ローラ８０の移動が開始するようにそのカム形状が形成されている。更に、カム溝５０４は、上方部５０５ａに上ローラ８０の支持部材８１０のカムフォロワ部が位置し、上ローラ８０の移動が停止した後も下ローラ部材７０が後僅かに斜行部５０４ｃに沿って下方向に移動し、水平部５０４ｂに至るように形成されている。
【００３９】
また、ディスク１１をエジェクトするときには、ロックが解除され、図４（ｂ）、図５（ｂ）の状態から、付勢バネ５０８の付勢力により、図４（ａ）、図５（ｂ）の状態に復帰し、下ローラ部材７０及び上ローラ８０は、ディスク１１を挟み込むが、上記したカム溝５０４と、カム部５０５、６０５の形状により、下ローラ部材（搬送ローラ）７０が図中上方向へ上昇し、ディスク１１に当接し、続いて、上ローラ（ガイドローラ）８０が図中下方向へ下降し、ディスク１１に当接して、下ローラ部材７０と上ローラ８０とにより、ディスク１１を挟む。
【００４０】
上述したように、ディスク差込口１２部分に設けられる下ローラ部材７０と上ローラ８０は、ディスクの出入時には、両者はディスクに当接し、再生時には両者はディスク１１から離間するように構成されている。
【００４１】
図７は、ディスク差込口にディスクを挿入し、ディスクを搬送している状態の上下ローラ部分を示す平面図、図８は同側面図、図９はディスク差込口の上ローラ部分を示す平面図である。
【００４２】
図２、図４、図５、図７に示すように、ディスク差込口１２部分に設けられる上下ローラ７０、８０は、それぞれ支持部材により、シャーシ本体２０ａに揺動自在に取り付けられる。即ち、上ローラ８０は、例えば、ＳＵＳ３０１で構成され、図に示すように、ローラ支持部材８１０のフローティングシャーシ２１ａ側の先端部に回動自在に支持される。このローラ支持部材８１０は、強度を確保するために、例えば、ガラス無機フィラーを６０％混入したＰＰＳ部材で構成され、第２のスライダ６０側のディスク差込口１２側にピン８１１が設けられ、このピン８１１がシャーシ本体２０ａに設けた穴に係合される。そして、第１のスライダ５０側にはシャーシ本体２０ａと所定の間隔を設けて支持壁２０ｅが設けられ、この支持壁に２０ｅに設けられた穴にローラ支持部材８１０に設けたピン８１２が係合される。両ピン８１１、８１２をそれぞれ該当する穴と係合させることにより、ローラ支持部材８１０は、シャーシ本体２０ａに対して揺動自在に取り付けられる。
【００４３】
ローラ支持部材８１０の上ローラ８０を支持する近傍には、第１のスライダ５０側にカムフォロワ部８１３が延出して形成され、第２のスライダ６０側にカムフォロワ部８１４が延出して形成されている。そして、カムフォロワ部８１３、８１４はそれぞれカム部５０５、６０５に当接し、第１、第２のスライダ５０、６０のスライドの動きに応じて、ローラ支持部材８１０が揺動し、上ローラ８０をディスク１１に当接、又はディスク１１から離間させる。
【００４４】
図７、図９に示すように、上記したローラ支持部材８１０は、上部ケース２００ａに取り付けられた例えばＳＵＳ３０１からなる板バネ２１０が当接し、この板バネ２１０により、ディスク方向に上ローラ８０が付勢される。この板バネ２１０は、上ケース２００ａをシャーシ本体２０ａに取り付けると板バネ２１０の両端部２１１がローラ支持部材８１０の両端にそれぞれ当接するよう上ケース２００ａに固定されている。このように、予め上部ケース２００ａに所定形状の板バネを固定することで、上部ケース２００ａをシャーシ本体２０ａに取り付けることで、上ローラ８０に所定の押圧力が与えることが容易行える。さらに、板バネ２１０でローラ支持部材８１０の両端部抑え、ローラ支持部材８１０を介して上ローラ８０に押圧力を与えるので、上ローラ８０を直接コイルバネ等で付勢するより、上ローラ８０に満遍なく押圧力が与えられ、ディスクの横幅方向に均一な力が与えられ、ディスクの斜行などが抑制され、搬送がスムーズに行える。
【００４５】
更に、図９に示すように、この板バネ２１０には、上ローラ８０がディスクから離間したときに上ローラ８０と当接する板バネ部２１２が設けられており、ディスク再生時に上ローラ８０が振動するのを抑制している。
【００４６】
図８に示すように、下ローラ部材７０は、ＳＵＳ３０１からなるローラ軸７０ａにシリコンゴムからなるゴムローラ７０ｂが取り付けられ、ディスクの記録面に傷を付けることなく当接する。ディスク搬送時には、上記上ローラ８０と下ローラ部材７０とにより、ディスクを挟持し、上ローラ８０を押圧する板バネ２１０により、ディスクに所定の押圧力が付与される。下ローラ部材７０は、板金からなる下ローラプレート７００に回転自在に支持され、ローラ軸７０ａの一方端には、駆動モータ３００からの回転力を伝達し、下ローラ部材７０を回転するためのギア３０ｃが取り付けられている。
【００４７】
下ローラプレート７００の第２のスライダ６０側には、前述したように、第２のスライダ６０のガイド溝６０４と係合するピン７０１を有するプレート支持部材７００ａが取り付けられている。このプレート支持部材７００ａには、シャーシ本体２０ａに設けた穴（図示せず）に係合するピン（図示せず）が設けられている。また、第１のスライダ５０側には設けられた支持壁に２０ｅに設けられた穴（図示せず）に下ローラプレート７００に設けたピン（図示せず）される。このように、シャーシ本体２０ａと支持壁２０ｅとの間で下ローラプレート７００が揺動自在に取り付けられる。
【００４８】
下ローラプレート７００は、前述したように、第１のスライダ部５０のスライド移動に応じて、ディスクから離間又はディスクへ当接する方向へ移動する。そして、この下ローラプレート７００の移動に応じて、第２のスライダ６０も移動する。
【００４９】
図に示すように、下ローラプレート７００には、後述するように、駆動モータ３００を停止させるためのスイッチ片７１１が設けられ、第１のスライダ５０のガイド溝５０４に沿った下ローラ部材７０の移動により、下ローラ部材７０がディスクと当接する位置から待避する位置まで移動されると、スイッチ片７１１がプリント基板に取り付けられたスイッチと当接するように構成されており、スイッチ片７１１がスイッチを押すことにより、駆動モータが停止し、第１のスライダ部５０の移動が停止される。
【００５０】
図に示すように、駆動モータ３００の駆動ギア（図示せず）は、ギア３０ａと噛み合い、このギア３０ａはギアシャフト３０のギア３０ｂと噛み合うように構成されている。駆動モータ３００の駆動により、ギアシャフト３０が回転する。ギアシャフト３０には、ローラ軸７０ａに取り付けられたギア３０ｃと噛み合うギア３０ｄとギア５０３と噛み合うギア３０ｅが設けられている。そして、駆動モータ３００からの駆動力がこれらギアシャフト３０と各ギアを介して伝達され、下ローラ部材７０の回転駆動、第１のスライダ５０の移動が行われる。
【００５１】
前述したように、フローティングシャーシ２１は、本体ケース２０に対してディスク１１の挿入時に所定量だけ沈み込むように、本体ケース２０に対してダンパーを介して弾性支持される。この実施形態においては、図に示すように、３つのダンパー４０によりフローティングシャーシ２１を支持している。
【００５２】
図１０は、本発明のディスクプレーヤ装置の背面図、図１１は図１０のＡ−Ａ線断面図、図１２は図１０のＢ−Ｂ線断面図、図１３は本発明のディスクプレーヤ装置に用いられるダンパーを示し、（ａ）は平面図、（ｂ）は背面図である。
【００５３】
図１０ないし図１２に示すように、フローティングシャーシ２１には、ダンパー４０の支持穴４６に挿入される支持ピン２１ｈが設けられている。ダンパー４０は、ポリプロピレンよりなる外枠４１にエラストマーよりなるダンパー部４２とからなり、ダンパー部４２内にはシリコンオイルが充填されている。更に、フローティングシャーシ２１とダンパー外枠４１との間には圧縮ばね４４が介挿される。
【００５４】
ダンパー外枠４１は、図１２に示すように、平面視において、円形に形成された本体部４１ａとこの本体部に連接されたシャーシ本体２０ａ取り付け用のピン４４と差込片４５とが設けられている。シャーシ本体２０ａのダンパー４０を取り付ける位置には、穴部２０ｈと２０ｉが設けられており、穴部２０ｉに差込片４５を差し込み、穴部２０ｈにピン４４を差し込むことにより、シャーシ本体２０ａの所定の箇所にダンパー４０が取り付けられる。
【００５５】
また、ダンパー外枠４１の下ケース２００ｂに面する側には、下ケース２００ｂとの係合を確保するための段部４１ｂが本体部４１ａに設けられている。下ケース２００ｂには、ダンパーの外枠４１が係合される係合部２１１が設けられており、係合部２１１の対向する側辺２１１ａ間の寸法は、ダンパー外枠４１の段部４１ｂ間の寸法に対して締まり嵌めの状態で取り付けられるように形成されている。この結果、シャーシ本体２０ａに下ケース２１０を取り付けた際、係合部２１１と本体部４１ａの段部４１ｂの係合により、ダンパー４０の固定強度が向上する。
【００５６】
また、この実施形態においては、ローラ支持部材８１０にディスク検出用のセンサ８２０、８２１が設けられている。この実施形態においては、外径１２ｃｍのディスクをローディングし、外径８ｃｍのディスクはローディングしないように構成している。このため、センサ８１０がオンすると、ローディングを開始するが、センサ８２０がオンして所定時間以内にセンサ８２１がオンしない場合には、駆動モータ３００を逆回転し、ディスクを排出する。また、センサ８２１のオン時間が所定時間よりも短い場合も駆動モータ３００を逆回転してディスクを排出するように構成している。勿論、外径１２ｃｍ、８ｃｍの２つのディスクをローディングできるように構成することもできる。
【００５７】
以下、この実施形態の動作につき説明する。
【００５８】
図２に示すディスクが挿入前の状態から、図７に示すように、ディスク１１が差し込まれると、センサ８２０、８２１により、ディスク１１が挿入されたことを検知して駆動モータ３００が駆動する。駆動モータ３００の駆動により、ギアシャフト３０が回転し、駆動モータ３００からの駆動力がこれらギアシャフト３０と各ギアを介して伝達され、下ローラ部材７０が回転する。そして、上ローラ８０と下ローラ部材７０とにより挟持されたディスク１１は、上ローラ８０を押圧する板バネ２１０により、所定の押圧力が付与される。そして、下ローラ部材７０の回転により、ディスク１１がクランパー２７に向かってディスクプレーヤ装置の先端の方に搬送される。このとき、第１のスライダ５０、第２のスライダ６０は、図４（ａ）、図５（ａ）の状態に保たれているので、図２に示すように、クランパーアーム２２の舌片２４がカム５０７と当接し、クランパー２７をターンテーブル１４からバネ２２ｓの付勢力に抗して離間している。
【００５９】
下ローラ部材７０の回転により、ディスク１１が装置内部に搬入されて行くと、クランパーアーム２２に設けられた作動片２２０にディスク１１の先端が当接する。ディスク１１の挿入につれてディスク１１と当接する作動片２２０が揺動し、ディスク１１が再生位置になるまで作動片２２０はディスクの一部に押され、作動片２２０はディスクから待避するように揺動する。そして、ディスク１１が所定の再生位置に達すると、作動片２２０の先端部の突起２２１が第１のスライダ５０のラックギア部材５０２の突起５０２ａと当接し、ラックギア部材５０２をディスク差込口１２方向へ移動させ、ラックギア５０３ａとギア５０３とが噛み合い、駆動モータ３００の駆動力で第１のスライダ５０を移動させる動作に入る。
【００６０】
図１４は、第１のスライダ５０の移動動作を開始する状態を、図１５は第１のスライダが少し移動した状態、図１６は、クランパーアーム２２がディスク側に移動し、ディスクをクランプした状態をそれぞれ示す斜視図である。なお、これら図においては、ディスクは省略している。
【００６１】
ラックギア５０３ａとギア５０３とが噛み合うと、駆動モータ３００の駆動力がギアシャフト３０を介してギア５０３に伝達され、ラックギア５０３ａが移動し、第１のスライダ５０がディスク差込口１２側へ移動して行く。第１のスライダ５０が移動し、クランパーアーム２２の舌片２４がカム部５０７から外れると、バネ２２ｓの付勢力により、クランパーアーム２２はディスク１１側に移動し、クランパー２７を磁石が取り付けられたターンテーブル１４に圧接し、バネによる付勢力とターンテーブル１４に設けた磁石の磁力により、クランパー２７とターンテーブル１１間に挿入されたディスク１１をターンテーブル１４上に圧接保持する。
【００６２】
また、第１のスライダ５０の移動により、ガイド溝５０４に沿って下ローラプレート７００が下がり、下ローラ部材７０をディスク１１から離間させる。ディスク１１がクランパー２７に保持されたときには、下ローラ部材７０はディスク１１から離間している。更に、駆動モータ３００により、第１のスライダ５０の移動は続くが、下ローラ部材７０はディスク１１と離間しているので、ディスク１１にスリップなどを生じさせず、傷の発生を防止している。また、下ローラ部材７０がディスク１１から離間したときには、下ローラ部材７０のギア３０ｃとギアシャフト３０のギア３０ｄの噛合が解除される。この結果、下ローラ部材７０の回転が停止する。そして、カム部５０５、６０５の上方部５０５ａに上ローラ８０の支持部材８１０のカムフォロワ部が位置し、上ローラ８０はディスク１１から離間する。
【００６３】
更に、図１７、図１８に示すように、駆動モータ３００の駆動により、第１のスライダ５０は移動し、ディスク差込口１２側にスライドすると、下ローラ部材７０の一端は、斜行部５０４ｃを経て水平部５０４ｂの位置になる。このガイド溝５０４に沿った下ローラ部材７０の移動により、下ローラ部材７０はディスクから離間し待避する位置まで移動するとともに、下ローラプレート７００は下方に下がる。下ローラプレート７００の移動に伴い第２のスライダ６０側もガイド溝６０４に従ってディスク差込側１２に移動する。
【００６４】
そして、図１９、図２０に示す記録再生位置まで、第１、第２のスライダ５０、６０が移動すると、フローティングシャーシ２１ａに設けられた係合凸部２１ｃ、２１ｄ、２１ｅ、２１ｆと第１のスライダ５０の係合溝５０ｃ、５０ｄ及び第２のスライダ６０の係合溝６０ｅ、６０ｆの係合はそれぞれ解除され、フローティングシャーシ２１ａに設けられた係合凸部２１ｃ、２１ｄと係合溝５０ｃ、５０ｄの係合は解除され、フローティングシャーシ２１はダンパー４０により支持される。また、ローラ支持部材８１０に設けられたカムフォロワ部８１３、８１４はそれぞれカム部５０５、６０５に当接し、ローラ支持部材８１０が上方に移動し、上ローラ８０がディスク１１から離間させる。
【００６５】
また、下ローラ部材７０がディスクと当接する位置から待避する位置まで移動されると、スイッチ片７１１がプリント基板に取り付けられたスイッチと当接し、スイッチ片７１１がスイッチを押すことにより、駆動モータ３００が停止し、第１のスライダ部５０の移動が停止されて、記録／再生状態となる。前述したように、スライダ本体５０１が記録／再生位置になると、図示しないエジェクトボタンと連動したエジョクトピンにより、記録／再生位置でスライダ本体５０１はロックされる。
【００６６】
一方、ディスク１１を排出するために、エジェクトボタンが押されると、エジェクトピンのロックは解除され、第１のスライダ５０は、付勢バネ５０８の付勢力により、図４（ｂ）、図５（ｂ）の状態から図４（ａ）、図５（ａ）の状態に戻り、この第１，田２のスライダ５０，６０の移動に伴い上記したカム溝５０４と、カム部５０５、６０５の形状により、下ローラ部材（搬送ローラ）７０が図中上方向へ上昇し、ディスク１１に当接し、続いて、上ローラ（ガイドローラ）８０が図中下方向へ下降し、ディスク１１に当接して、ディスク１１を挟み、図２に示す状態に戻る。
【図面の簡単な説明】
【００６７】
【図１】本発明のディスクプレーヤ装置の構成を示す分解斜視図である。
【図２】本発明のディスクプレーヤ装置において、ディスクの挿入を待機している状態の本体ケース部分を示す斜視図である。
【図３】本発明のディスクプレーヤ装置において、ディスクの挿入を待機している状態の本体ケース部分を示す平面図である。
【図４】本発明のディスクプレーヤ装置において、第１のスライダ部分を示す側面図である。
【図５】本発明のディスクプレーヤ装置において、第２のスライダ部分を示す側面図である。
【図６】本発明のディスクプレーヤ装置において、フローティングシャーシ部分を示す平面図である。
【図７】本発明のディスクプレーヤ装置において、ディスク差込口にディスクを挿入し、ディスクを搬送している状態の上下ローラ部分を示す平面図である。
【図８】本発明のディスクプレーヤ装置において、ディスク差込口にディスクを挿入し、ディスクを搬送している状態の上下ローラ部分を示す同側面図である。
【図９】本発明のディスクプレーヤ装置におけるディスク差込口の上ローラ部分を示す平面図である。
【図１０】本発明のディスクプレーヤ装置の背面図である。
【図１１】図１０のＡ−Ａ線断面図である。
【図１２】図１０のＢ−Ｂ線断面図である。
【図１３】本発明のディスクプレーヤ装置に用いられるダンパーを示し、（ａ）は平面図、（ｂ）は背面図である。
【図１４】本発明のディスクプレーヤ装置において、第１のスライダの移動動作を開始する状態を示す斜視図である。
【図１５】本発明のディスクプレーヤ装置において、第１のスライダが少し移動した状態を示す斜視図である。
【図１６】本発明のディスクプレーヤ装置において、クランパーアームがディスク側に移動し、ディスクをクランプした状態を示す斜視図である。
【図１７】本発明のディスクプレーヤ装置において、クランパーアームがディスク側に移動してから更に第１のスライダが移動した状態を示す斜視図である。
【図１８】本発明のディスクプレーヤ装置において、クランパーアームがディスク側に移動してから更に第１のスライダが移動した状態を示す斜視図である。
【図１９】本発明のディスクプレーヤ装置において、記録／再生位置状態を示す斜視図である。
【図２０】本発明のディスクプレーヤ装置において、記録／再生位置状態を示す斜視図である。
【符号の説明】
【００６８】
１１  ディスク
１２  ディスク差込口
１４  ターンテーブル
２０  本体ケース
２０ａ  シャーシ本体
２１  フローティングシャーシ
２２  クランパーアーム
２７  クランパー
４０  ダンパー
５０  第１のスライダ
６０  第２のスライダ
７０  下ローラ部材（搬送ローラ）
８０  上ローラ（ディスクガイドローラ）
２００ａ  上部ケース
２００ｂ  下部ケース
２１０  板バネ
２３０  緩衝部材
【図１】
2006079659.tif 000003
【図２】
2006079659.tif 000004
【図３】
2006079659.tif 000005
【図４】
2006079659.tif 000006
【図５】
2006079659.tif 000007
【図６】
2006079659.tif 000008
【図７】
2006079659.tif 000009
【図８】
2006079659.tif 000010
【図９】
2006079659.tif 000011
【図１０】
2006079659.tif 000012
【図１１】
2006079659.tif 000013
【図１２】
2006079659.tif 000014
【図１３】
2006079659.tif 000015
【図１４】
2006079659.tif 000016
【図１５】
2006079659.tif 000017
【図１６】
2006079659.tif 000018
【図１７】
2006079659.tif 000019
【図１８】
2006079659.tif 000020
【図１９】
2006079659.tif 000021
【図２０】
2006079659.tif 000022